(57)【要約】【課題】体の一部位だけでなく、全身運動も行い、血液の循環を促すペダル漕ぎ健康器具を提供する。【解決手段】ペダル漕ぎ健康器具は、基台上に中空桿を枢設し、中空桿の適する位置に案内車輪を軸設する。基台の中空桿に近い一端には駆動装置及び調節装置を設置する。使用者が足でペダル駆動装置を回転させた時、両足の健脚運動、もしくは中空桿が基台を支点として動いたり、振動したりして、手部及び上半身のマッサージを行う。【選択図】図1
0003110244.tif 000002
【実用新案登録請求の範囲】
【請求項１】
健康器具の主な構造主体で、健康器具の各部品を設置する基台と、
基台に枢設し、底側には基台前端に着脱自在に定位し、最上端にはハンドル桿を設置し、且つ適する位置には案内車輪を設置する中空桿と、
立桿によって基台近くの中空桿一側面に固定し、最上端には芯軸及び芯軸に設置したペダルを連接し、称軸一端にはペダルの駆動を受けて動く多辺形の駆動車輪を設置し、且つ駆動車輪の周辺面は案内車輪に相対、もしくは接触する駆動装置と、
駆動装置と中空桿の間に設置し、案内車輪を空転させたり、接触させたりする調節装置から構成されたペダル漕ぎ健康審具において、使用者が両足でペダルを漕ぐ方式で、調節装置が案内車輪と駆動車輪を接触させた時、駆動車輪が案内車輪に常に当たり、同時に中空桿が基台を支点として回転、もしくは振動するもので、反対に案内車輪が空転状態で駆動車輪と接触しない時、使用者は両足の健脚運動を行うことを特徴とするペダル漕ぎ健康器具。
【請求項２】
前記中空桿は、枢設台を着脱自在状態で基台上に定位し、且つ中空桿の適する位置には快速調節ハンドルを設置し、ハンドル桿の高さを調節することを特徴とする請求項１記載のペダル漕ぎ健康器具。
【請求項３】
前記調節装置は、固定片を立桿の芯軸上方に設置し、ネジ桿に押圧塊を設置し、押圧塊は、中空桿と接触し、ネジ桿は固定片に螺設し、ネジ桿を中空桿側へ回し入れることによって押圧塊が中空桿を押し、それによって案内車輪が空転して駆動車輪と接触しないことを特徴とする請求項1記載のペダル漕ぎ健康器具。
【請求項４】
前記調節装置は、固定片を立桿の芯軸上方に設置し、ネジ桿に押圧塊を設置し、押圧塊は、中空桿と接触し、ネジ桿は固定片に螺設し、固定片には別に通孔が貫設されてそこに案内桿を穿設し、案内桿には固定片の一側面に弾性装置を凸設することを特徴とする請求項１記載のペダル漕ぎ健康器具。
【請求項５】
前記駆動装置は、一側面にブレーキ装置が設置され、そのうち、このブレーキ装置は芯軸の駆動車輪一側面に対応するブレーキ車輪と停止片を設置し、更に停止片とブレーキ車輪の間には摩擦片を設置し、その停止片は調整桿によって、ブレーキの強さを調整することを特徴とする請求項１記載のペダル漕ぎ健康器具。
【請求項６】
前記基台は、適する位置に固定桿を設置し、その固定桿の最上端に椅子シートを設置し、そこに使用が座ることを特徴とする請求項1記載のペダル漕ぎ健康器具。
【請求項７】
前記固定桿は、適する位置に快速調節ハンドルを設置し、椅子シートの高さを調整することを特徴とする請求項６記載のペダル漕ぎ健康器具。
【請求項８】
前記固定桿は、連接桿が設置され、その延長部端部には案内車輪が設置され、延長部側面には押圧桿が設置され、別に固定片上に調整桿が設置されて駆動車輪が案内車輪と連動して椅子シートを振動させるか否かを制御することを特徴とする請求項1記載のペダル漕ぎ健康器具。
【考案の詳細な説明】
【技術分野】
【０００１】
本考案は、ペダル漕ぎ健康器具に関するもので、各人の要求によって、両足の健脚運動、もしくはマッサージ効果を具えた運動効果を得るものである。
【背景技術】
【０００２】
人は飲食、運動が見過ごされ、心肺機能が低下しており、疾病にかかりやすくなっている。心肺機能を向上させるには、適度な運動が必要であり、運動することによって、筋肉が強化され、骨密度の低下を予防し、免疫力等も高める。
【０００３】
しかしながら、今日人々は多忙であるため、毎日の運動のための時間と場所を作ることが出来ない。このため、市場ではたくさんの室内運動器具が出ているが、それらは単調で一種の運動しか出来ないため、厭きやすく、且つ特定部位の筋肉強化しか出来ず、全身の血液循環を促す効果が見過ごされている。
【考案の開示】
【考案が解決しようとする課題】
【０００４】
解決しようとする問題点は、特定部位だけの運動では単調、且つ効果が充分でない点である。
【課題を解決するための手段】
【０００５】
本考案は、基台上に中空桿を枢設し、中空桿の適する位置に案内車輪を軸設する。基台の中空桿に近い一端には駆動装置及び調節装置を設置する。使用者が足でペダル駆動装置を回転させた時、両足の健脚運動、もしくは中空桿が基台を支点として動いたり、振動したりして、手部及び上半身のマッサージを行うことを最も主要な特徴とする。
【考案の効果】
【０００６】
本考案のペダル漕ぎ健康器具は、体の一部位だけでなく、全身運動も行い、血液の循環を促すという利点がある。
【考案を実施するための最良の形態】
【０００７】
図1、図2は、健康審具1の基本構造で、そのうち、基台10は、健康器具1の主要構造体で、健康器具1の各ユニットを乗せるものである。
【０００８】
中空桿20は、基台10上に枢設し、中空桿20底部は枢設台21によって、基台10前端に着脱可能状態で枢設する。また中空桿20最上端には、ハンドル桿22を設置し、また中空桿20の適する位置には、快速調節ハンドル50を設置して、ハンドル桿22の高低を調整し、且つ中空桿20の適する位置には案内車輪23を設置する。
【０００９】
駆動装置30は、立桿31を基台10に近い中空桿20一側面に固定する。その立桿31最上端には芯軸32及び芯軸32に軸設したペダル33を設置する。また芯軸32一端にはペダル33と共に動く多辺形の駆動草輪34を設置し、更に駆動車輪34の周辺面は案内車輪23と相対して動く。
【００１０】
調節装置40は、駆動装置30と中空桿20の間に設置され、案内車輪23が空回りしたり、駆動輪34と接触して回転したりするのを調節する。本考案では調節装置40は、固定片41を通して立桿31の芯軸32上方に設置する。これらは主にネジ桿42最上の押圧塊43から構成され、その押圧塊43は中空桿20と相互に接触し、またネジ桿42は固定片41上に螺設される。この固定片41には別に通孔411が貫設されてそこに案内桿44が穿設される。案内桿44は固定片41の一側面に凸設されて弾性装置45に設置される(本実施例ではバネとする)。ネジ桿42を中空桿20の一側面に向かって回し入れると、押圧塊43が中空桿20を押して駆動装置30から遠ざけ、図3Aに示すとおり、案内草輪23が空回りして駆動車輪34に接触しないようにする。反対にネジ桿42を中空桿20の別側へ回し戻すと、押圧塊43によって中空桿20が押され、駆動装置30に近づき、図3Bに示すとおり、案内車輪23と駆動車輪34が接触する。
【００１１】
使用者は椅子60に座り、図4に示すとおり、両足でペダル33を漕ぎ、駆動車輪34を回転させる。ネジ桿42は中空桿20の別側へ回転しながら出るので、案内車輪23と駆動車輪34が相互に接触した時、駆動車輪34が回転して駆動車輪と異なる高度の各辺341及び各角342が止まることなく案内車輪23に合わさり(図5参照)、同時に中空桿20が基台の枢設台21を支点として回転もしくは振動し、使用者は、ペダルを踏んで両足の健脚効果を得るだけでなく、手部及び上半身もまた運動効果を得て、マッサージ効果を具えた運動を行う。
【００１２】
この他、ネジ桿42を中空桿20一側面へ回し入れ、案内車輪23を空回りさせて駆動車輪34と接触させない状態の時、図3Aに示すとおり、使用者は両足で健脚運動を行う。この時、調節装置40の調整によって、回転中の駆動車輪34は、案内車輪23に接触する範囲で、調整作用を具える。また中空桿20が立桿31に近づくほど、多辺形の駆動車輪34周辺面の接触、及び案内車輪23の範囲は大きく、且つ多くなる。反対に中空桿20は立桿31から遠ざかるほど、多辺形の駆動車輪34周辺面の接触、及び案内車輪23の範囲は小さく、少なくなる。故に使用者は、必要によって調節装置40で調整し、立桿20の振り幅を制御したり、手部及び上半身の振動もしくは振動幅を変化させたりして、最も良好な効果を得る。
【００１３】
更に基台10の適する位置に固定桿70を設置し、固定桿70最上端に椅子シート71を設置する。図6に示すとおり、使用者が椅子に座り、椅子シート71に座って運動を開始する。固定桿70の適する箇所には快速調節ハンドル50が設置され、椅子シート71の高低を調整する。
【００１４】
駆動装置30の一側面にブレーキ装置80を設置する。図7に示すとおり、このブレーキ装置80は、芯軸32に対応する駆動車輪34一側面にブレーキ車輪81及び停止片82を設置し、且つ停止片82とブレーキ車輪81の間には摩擦片83を設置する。また停止片82は調整桿84の作用を受けて、ブレーキの大きさを調整する。この調整桿84が回転して入った時、ブレーキ車輪81の摩擦カは高まり、使用者のペダル33を踏む力がより必要となる。
【００１５】
この他、図8及び図9に示すとおり、固定桿70に連接桿72を設置する。また、延長部722端部には案内車輪73を設置し、延長部722の側片には押圧桿74を設置する。固定片41上の調整板75を下へ下ろした時、押圧桿74及び延長部722上の案内車輪73は駆動車輪34から遠ざかり、連動作用を具えない。反対に固定片41上の調整板75を上に上げた時、連接桿72と基台10間の弾性装置721は連接桿によって押し上げられ、案内車輪73を駆動車輪34へ近づける。使用時、固定桿70及び椅子シート71の移動もしくは振動によって、使用者は両足の健脚運動だけでなく、腎部及び腰部の運動効果を具え、且つマッサージ効果も具える。
【図面の簡単な説明】
【００１６】
【図１】本考案の外観構造図である。
【図２】本考案の局部立体拡大図である。
【図３Ａ】本考案の調節装置の構造拡大指示図である。
【図３Ｂ】本考案の調節装置の構造拡大指示図である。
【図４】本考案の使用状態指示図である。
【図５】本考案の駆動車輪に接する案内車輪の状態指示図である。
【図６】本考案の別の使用状態指示図である。
【図７】本考案のブレーキ装置構造の立体拡大図である。
【図８】本考案の別の実施例指示図である。
【図９】本考案の調節装置構造の拡大指示図である。
【符号の説明】
【００１７】
1  健康器具
10  基台
20  中空桿
21  枢設台
22  ハンドル桿
23  案内車輪
30  駆動装置
31  立桿
32  芯軸
33  ペダル
34  駆動車輪
341  駆動車輪の各辺
342  駆動車輪の各角
40  調節装置
41  固定片
411  通孔
42  ネジ桿
43  押圧塊
44  案内桿
45  弾性装置
50  快速調節ハンドル
60  椅子
70  固定桿
71  椅子シート
72  連接桿
721  弾性装置
722  延長部
73  案内車輪
74  押圧桿
75  調整桿
80  ブレーキ装置
81  ブレーキ車輪
82  停止片
83  摩擦片
84  調整桿
【図１】
0003110244.tif 000003
【図２】
0003110244.tif 000004
【図３Ａ】
0003110244.tif 000005
【図３Ｂ】
0003110244.tif 000006
【図４】
0003110244.tif 000007
【図５】
0003110244.tif 000008
【図６】
0003110244.tif 000009
【図７】
0003110244.tif 000010
【図８】
0003110244.tif 000011
【図９】
0003110244.tif 000012